(57)【要約】  家具のヒンジの少なくとも閉じる方向の回動を減速させる装置（１）は、第１の摩擦面（１７）にて容器（１４）の底部（１８）と接触する第１の回動摩擦要素（１６）を収容する容器（１４）と、第１の回動摩擦要素（１６）に第２の摩擦面（２０）にて接触して重合する第２の固定された摩擦要素（１９）と、少なくとも第３の摩擦面（２１）にて第２の固定された摩擦要素（１９）に接触して重合する少なくとも１つの第３の回動摩擦要素（２２）と、該第１の摩擦要素（１６）及び第３の摩擦要素（２２）の間の締付手段（２４，２５）と、少なくとも閉じる方向の回動において運動方向に沿って移動自在な摺動部（２３）と、同摺動部の運動を第１の摩擦面、第２の摩擦面、及び第３の摩擦面にて張引による摩擦を生じさせるように第１の摩擦要素及び第３の摩擦要素（１６，２２）の回動運動に変換するための運動学的手段（３４，３６）とを備える。
2011503394.tif 000002
【特許請求の範囲】
【請求項１】
家具のヒンジの少なくとも閉じる方向の回動を減速させる装置であって、第１の摩擦面にて容器の底部と接触する第１の回動摩擦要素を収容する容器と、第１の回動摩擦要素に第２の摩擦面にて接触して重合する第２の固定された摩擦要素と、少なくとも第３の摩擦面にて第２の固定された摩擦要素に接触して重合する少なくとも１つの第３の回動摩擦要素と、該第１の摩擦要素及び第３の摩擦要素の間の締付手段と、少なくとも閉じる方向の回動において運動方向に沿って移動自在な摺動部と、同摺動部の運動を第１の摩擦面、第２の摩擦面、及び第３の摩擦面にて張引による摩擦を生じさせるように第１の摩擦要素及び第３の摩擦要素の回動運動に変換するための運動学的手段とを備えることを特徴とする減速装置。
【請求項２】
前記第１の摩擦要素、第２の摩擦要素、及び第３の摩擦要素はそれぞれ少なくとも１つの円形ディスクからなり、これらの軸が中空の円筒体の軸と一致するように位置されることにより、これらは同軸上に重合され、これにより容器の形状が形成されることを特徴とする請求項１に記載の減速装置。
【請求項３】
前記第１の摩擦要素、第２の摩擦要素、及び第３の摩擦要素はそれぞれ１つの平坦な円形ディスクからなることを特徴とする請求項１に記載の減速装置。
【請求項４】
前記締付手段は第３の摩擦要素の周方向スロットに嵌入する第１の摩擦要素の周方向フラップ、又は第１の摩擦要素の周方向スロットに嵌入する第３の摩擦要素の周方向フラップからなることを特徴とする請求項１乃至３のいずれか一項に記載の減速装置。
【請求項５】
前記第１の摩擦要素の回動を案内するために容器の底部の内側に環状中央部案内リブが設けられ、第１の摩擦要素に設けられて該環状中央部案内リブの形状と対をなす円形中央部案内開口部が環状中央部案内リブに完全に適合することを特徴とする請求項１乃至４のいずれか一項に記載の減速装置。
【請求項６】
前記第３の摩擦要素の回動を案内するために底部の内側中央部にて、前記環状リブに対して同軸に、且つ内側に円筒状案内スリーブが設けられ、第２の摩擦要素に面する第３の摩擦要素の表面中央部に設けられ該円筒状案内スリーブの形状と対をなす凹部が円筒状案内スリーブに完全に適合することを特徴とする請求項１乃至５のいずれか一項に記載の減速装置。
【請求項７】
前記第２の摩擦要素は、第１の摩擦要素の案内開口部に設けられ、且つ底部に位置されて対となる形状を有する中央部凸部に完全に適合する非円形の中央部開口部を有する、第２の摩擦要素の中央部凹部により固定された状態を保持されることを特徴とする請求項１乃至６のいずれか一項に記載の減速装置。
【請求項８】
前記第１の摩擦要素及び第２の摩擦要素は高い摩擦係数を有する表面を備えた肉薄なシートから形成されることを特徴とする請求項１乃至７のいずれか一項に記載の減速装置。
【請求項９】
前記運動学的変換手段は第３の摩擦要素が容器のカバーに面する側にて中央部に設けられる一連の螺旋状溝を備えることを特徴とする請求項１乃至８のいずれか一項に記載の減速装置。
【請求項１０】
前記摺動部は溝の１つに嵌入する張引要素を有する可撓性を備えた板であり、同摺動部はカバーに形成された案内開口部に沿って案内されて摺動することを特徴とする請求項１乃至９のいずれか一項に記載の減速装置。
【請求項１１】
前記摺動部はヒンジが閉じる方向に回動する間に運動を受承するための手段を有する開口部を有し、同手段はヒンジが開く方向に回動する間に運動を受承するための手段とは区別されることを特徴とする請求項１乃至１０のいずれか一項に記載の減速装置。
【請求項１２】
前記溝及び張引要素は鋸歯の形態の対となる形状を有する横断区分を有することを特徴とする請求項１乃至１１のいずれか一項に記載の減速装置。
【請求項１３】
前記容器は、粘性タイプによる効果及び機械的タイプによる効果の組み合わせにより減速が得られるように粘性媒体により満たされることを特徴とする請求項１乃至１２のいずれか一項に記載の減速装置。
【請求項１４】
前記第２の摩擦要素は、第１の摩擦要素及び第２の摩擦要素の間において対向し、且つ弾性的に相互に押圧する一対のカップディスクからなることを特徴とする請求項１乃至１３のいずれか一項に記載の減速装置。
【請求項１５】
前記第２の摩擦要素は、第１の摩擦要素及び第２の摩擦要素の間において、その表面が弾性的効果を生ずる波形形状を有する円形ディスクからなることを特徴とする請求項１乃至１４のいずれか一項に記載の減速装置。
【請求項１６】
前記締付手段は相互に寄りかかるように調整される傾斜した端部及び複数の突出部を有する複数の支持シートからなり、同シートは第３の摩擦要素の周方向に設けられ、該突出部は第１の摩擦要素の周方向に設けられるか、或いはシートは第１の摩擦要素の周方向に設けられ、突出部は第３の摩擦要素の周方向に設けられることを特徴とする請求項１乃至１５のいずれか一項に記載の減速装置。
【請求項１７】
前記突出部の外周の長さはシートの外周の長さより短く、僅かに相対回動自在であり、これによりヒンジの閉じる回動方向において楔による効果が生じ、第１の摩擦要素及び底部の間において圧力を上昇させることを特徴とする請求項１乃至１６のいずれか一項に記載の減速装置。
【請求項１８】
前記容器及びカバーの間にスナップ結合手段を備えることを特徴とする請求項１乃至１７のいずれか一項に記載の減速装置。
【請求項１９】
家具の扉に固定されるべく調整される箱形本体及び家具の固定された要素に固定されるべく調整されたアームを間に操作自在に連結する第１の等化器及び第２の等化器からなり、該箱形本体の底部の外側に固定される請求項１乃至１８のいずれか一項に記載の減速装置を有することを特徴とするタイプの家具のヒンジ。
【請求項２０】
前記減速装置を箱形本体に迅速に連結させるための手段を備えることを特徴とする請求項１９に記載の家具のヒンジ。
【請求項２１】
前記迅速に連結させる手段は容器の箱形本体の特別な開口部又はカバーの特別な開口部に螺入する平行な軸を有するＵボルトを備えることを特徴とする請求項１９又は２０に記載の家具のヒンジ。
【請求項２２】
前記軸は箱形本体に対して等化器をヒンジにより連結するためのピボットをなすことを特徴とする請求項１９乃至２１のいずれか一項に記載の家具のヒンジ。
【請求項２３】
前記箱形本体の底部は開口部を有し、同開口部から等化器の１つに固定される制動カムはヒンジが閉じる方向に回動する間に運動を受承するための手段、及びヒンジが開く方向に回動する間に運動を受承するための前記区別された手段に接近することを特徴とする請求項１９乃至２２のいずれか一項に記載の家具のヒンジ。
【発明の詳細な説明】
【技術分野】
【０００１】
本発明は家具ヒンジを少なくとも閉じる回転を減速する器具、及び同減速装置を有する家具ヒンジに関する。
【背景技術】
【０００２】
家具の固定された要素に固定されるべく調整されたアーム及び家具の扉に固定されるべく調整された箱形要素と、箱形本体及びアームを一体的に、且つ操作可能に連結し、これらにより連結式の四辺形をなす第１の等化器及び第２の等化器とを備えた家具のヒンジが市場にて長く販売されてきた。上記ヒンジは通常扉を開閉する復帰力を生じさせるために扉に取り付けられる様々なタイプのバネを有する。上記ヒンジにおいて、このバネの弾性作用により生じる扉の運動を減速させる装置の存在が要求される。何よりもまずこのような減速装置により、扉を閉じる際に家具本体に対して激しく衝突させることにより生じる騒音を回避することが意図される。
【０００３】
部品相互の運動において部品間に設けられる粘性媒体の使用をベースとした減速装置が公知である。
【発明の概要】
【発明が解決しようとする課題】
【０００４】
上述した装置は、粘性媒体においてその粘性が明らかに周囲の温度に左右されて作動するため減速装置の効率が周囲の温度に強く影響されるという深刻な短所を露呈する。
例えば周囲の温度が急激に降下した場合に高い粘性を備える媒体を使用することは、ヒンジの運動を妨害する原因となり得るため逆効果であろう。周囲の温度が急激に上昇した場合に（例えば室内において人工光により生じた光線が問題のヒンジに注がれた場合に）、低い粘性を備える媒体を使用することは非効率的である。
【課題を解決するための手段】
【０００５】
従って、本発明による技術的課題は従来技術の問題点を克服することのできる家具のヒンジの減速装置を提供することにある。
この技術的課題の範囲において、本発明の課題は周囲の温度条件が変化しても同温度条件下で作動する減速装置が理想的な効率を保持することのできる家具のヒンジの減速装置を提供することにある。
【０００６】
本発明の別の課題は非常にコンパクトであり、且つ信頼性が高く費用が多くかからない家具のヒンジの減速装置を提供することにある。
【図面の簡単な説明】
【０００７】
【図１】本発明の実施例における家具のヒンジの減速装置及び箱形本体を示す分解斜視図。
【図２】第３の摩擦ディスクに面する側から見た図１の減速装置の摺動部を示す平面図。
【図３】図２の摺動部を示す側面図。
【図４】第２の摩擦ディスクに面する側から見た図１の第３の摩擦ディスクを示す平面図。
【図５】図４の線５−５線における第３の摩擦ディスクを示す断面図。
【図６】家具の扉の閉鎖位置に至るに先だって家具のヒンジの箱形本体に取り付けられた図１の減速装置を軸方向の区分において示す側面図。
【図７】図６の作動位置において容器のカバーを取り外した図１の減速装置を示す平面図。
【図８】家具の扉の閉鎖位置にて家具のヒンジの箱形本体に取り付けられた図１の減速装置を軸方向の区分において示す側面図。
【図９】図８の作動位置において容器のカバーを取り外した図１の減速装置を示す平面図。
【図１０】直径の区分を示す図及び第２の好適な実施例における第２の摩擦要素を示す側面図。
【図１１】直径の区分を示す図及び第３の好適な実施例における第２の摩擦要素を示す側面図。
【図１２】第２の実施例における第３の摩擦要素を示す底面図。
【図１３】図１２の第３の摩擦要素を線１３−１３に沿って区分して示した側面図。
【図１４】直径の区分を示す図及び第２の実施例における第１の摩擦要素を図１２の第３の摩擦要素と組み合わせて示す側面図。
【発明を実施するための形態】
【０００８】
本発明による技術的課題及びその他の課題は請求項１に記載の家具のヒンジの減速装置を提供することにより解決される。更に、本発明によるその他の特徴は後続の請求項において明確にされる。本発明の更なる特徴及び効果は添付の図面において示す後述する好適な実施例における家具のヒンジの減速装置の説明により明らかになるが、これらに限定されるものではない。
【０００９】
上記図面において、参照符号１にて家具ヒンジ減速装置の全体を示す。
減速装置１が取り付けられるヒンジは箱形本体４及びアーム５を操作自在に連結する第１の等化器２及び第２の等化器３からなるタイプである。箱形本体４は家具扉に固定されるように調整され、アーム５は例えば家具の側部等の家具の固定された要素（図示しない）に固定されるように調整される。
【００１０】
特に第１の等化器２は箱形本体４に対してピボット７が枢支され、ア―ム５に対してピボット８が枢支すされている。第２の等化器３は箱形本体４に対してピボット９が枢支され、アーム５に対してピボット１０が枢支されている。ピボット７，８，９，１０は平行な軸を有する。等化器２，３によって操作自在に連結される箱形本体４及びアーム５からなる構造体はピボット７，８，９，１０を介して連結された四辺形をなす。ピボット１０の周囲にアーム５と協動する第１のアーム１２と、等化器２と協動する第２のアーム１３とを有するバネ１１が設けられる。
【００１１】
扉を閉じる最終段階においてバネ１１により自然にして、且つ正確に閉じるように扉に対して復帰力が得られる。
減速装置１は箱形本体４の底部１５の外側に固定される容器１４を備える。
容器１４は第１の摩擦面１７にて容器１４の底部１８と接触する第１の回転摩擦要素１６と、第２の摩擦面２０にて第１の回転摩擦要素と接触し、第１の回転摩擦要素に重合する第２の固定された摩擦要素１９と、第３の摩擦面２１にて第２の摩擦要素１９と接触し、第２の摩擦要素１９に重合する第３の回転摩擦要素２２とを収容する。
【００１２】
第１の摩擦要素１６、第２の摩擦要素１９、及び第３の摩擦要素２２はそれぞれ少なくとも１つの円形ディスクからなり、これらの軸が中空の円筒体の軸２８と一致するように位置されることにより、これらは同軸上に重合される。これにより容器１４の形状が形成される。
【００１３】
図１乃至９に示す好適な実施例において、第１の摩擦要素１６、第２の摩擦要素１９、及び第３の摩擦要素２２はそれぞれ１つの平坦なディスクからなる。
更に容器１４内において第３の摩擦要素２２及び第１の摩擦要素１６の間に、相互に制約する手段が設けられる。
【００１４】
制約手段は第３の摩擦要素２２の周方向スロット２５と対をなす形状を採る、第１の摩擦要素１６の周方向フラップを備える。
明らかに第３の摩擦要素１６に同様にフラップを設けること、及び第１の摩擦要素２２に同様にスロットを設けることが可能である。
【００１５】
フラップ２４は、第１の摩擦要素１６及び第３の摩擦要素２２が同第１の摩擦要素１６及び第３の摩擦要素２２の間に挾持される第２の摩擦要素１９の厚みと略等しい距離を置いて離間されるように、第１の摩擦要素１６の周縁部から横断方向に延び、スロット２５内に部分的にのみ挿入される。
【００１６】
第１の摩擦要素１６及び第３の摩擦要素２２はこれらの軸２８を中心として一体的に回動するように容器１４内に保持される。
第１の摩擦要素１６の回動を案内するために、底部１８の内側に環状中央部案内リブ２６が設けられる。第１の摩擦要素１６自体に設けられ、環状中央部案内リブ２６の形状と対をなす円形案内開口部２７が環状中央部案内リブ２６に完全に適合する。
【００１７】
第３の摩擦要素２２の回動を案内するために、円筒状案内スリーブ２９が設けられ、底部１８の中央部にて環状リブ２６に対して内側に位置される。円筒状案内スリーブ２９の形状と対になる凹部３０が第２の摩擦要素１９に面する第３の摩擦要素２２の表面の中央部に形成され、円筒状案内スリーブ２９に完全に適合する。
【００１８】
第２の摩擦要素１９は第２の摩擦要素１９の中央部凹部３１を通じて容器内に固定されて保持される。中央部凹部３１は第１の摩擦要素１６の案内開口部２７内に位置され、非円形中央部開口部３２を有する。底部１８に設けられ非円形中央部開口部３２の形状と対をなす中央部凸部３３が非円形中央部開口部３２に完全に適合する。
【００１９】
開口部３２の周辺部は特に２つの直線部によって離間される２つの対向して位置されるアーチ状部から形成される。
従って、中央部リブ２６は中央部凸部３３を包囲し、中央部凸部３３は続いて容器１４の底部１８の中央部スリーブ２９を包囲する。
【００２０】
底部１８からの中央部リブ２６の高さは第１のディスク１６の厚みと等しく、底部からの中央部凸部３３の高さは第１の摩擦要素１６及び第２の摩擦要素１９の厚みの合計と等しく、底部からの中央部スリーブ２９の高さは第１の摩擦要素１６及び第２の摩擦要素１９の厚みの合計と、全ての摩擦要素１６，１９，２２の厚みの合計との間である。
【００２１】
好適に第１の摩擦要素１６及び第２の摩擦要素１９は高い摩擦係数を有する表面を備えた肉薄な金属、樹脂、或いはセラミックのシートから形成される。
上述した構造体において、第１の接触面１７は底部１８に面する第１の摩擦要素１６の側部によって画定される開口部２７の周囲の環状リングに一致し、第２の接触面２０は第２の摩擦要素１９に面する第１の摩擦要素１６の側部によって画定される開口部２７の周囲の環状リングに一致し、第３の接触面２１は第３の摩擦要素２２に面する第２の摩擦要素１９の側部によって画定される凹部３１の周囲の環状リングに一致する。
【００２２】
更に容器１４は第１の摩擦面１７、第２の摩擦面２０、第３の摩擦面２１にて引きずることにより摩擦を生じさせ、これによりヒンジの枢動を減速させるように、アーム５が箱形本体４に対して回動するときに運動方向に沿って移動自在な摺動部２３と、摺動部２３の運動を第１の摩擦要素１６及び第３の摩擦要素２２の回動に変換するための運動学的手段とを収容する。運動学的変換手段は第３の摩擦要素２２が容器１４のカバー３５に面する側にて中央部に設けられる一連の螺旋状溝３４を備える。
【００２３】
摺動部２３は溝の一つに嵌入する張引要素３６を有する可撓性を備えた板である。
摺動部２３は箱形本体４の底部１５の開口部３８を通じて、カバー３５に設けられた案内開口部３７に沿って案内されて摺動する。摺動部２３は等化器３に固定された制動カム３９に接近可能である。
【００２４】
摺動部２３の平坦部４０は箱形本体４の底部１５と第３の摩擦要素２２の間に恒久的に楔で固定され、これによりカバー３５の開口部３７内にて好適な摺動位置を確実に保持する。
【００２５】
摺動部２３に設けられる開口部４１は、移動することにより摺動部２３を変位させる制動カム３９を収容する。
最後に摺動部２３は閉じる方向にヒンジが枢動するときに制動カム３９の第１の外形４３からの運動を受承するための特別な手段を有し、これは開く方向にヒンジが枢動するときに制動カム３９の第２の外形４５からの運動を受承するための特別な手段とは区別される。
【００２６】
特に、開口部４１は閉じる方向にヒンジが枢動するときに制動カム３９の第１の外形４３からの運動を受承するための丸みを帯びた端部４２を有する。摺動部２３に設けられた一対のピン４４は、開く方向にヒンジが枢動するときに制動カム３９の第２の外形４５からの運動を受承するための開口部４１内に突出する。
【００２７】
張引要素３６及び張引要素３６が嵌入する溝３４は鋸歯の形態の対になる横断方向の区分を有する。これによりヒンジが閉じる方向に回動する間に張引要素３６の端部４６及び溝３４の端部４７（摺動部２３の運動方向に対して直交する）は、張引要素３６を同張引要素３６が嵌入する溝３４内にて摺動することを妨害し、第３の摩擦要素２２を（第１の摩擦要素１６と一体的に）回動させる。ヒンジが開く方向に回動する間に張引要素３６の端部４８及び溝３４の端部４９は（摺動部２３の運動方向に対して傾斜する）張引要素３６を同張引要素３６が嵌入する溝３４を越えて延び摺動部２３の可撓性を利用して隣接するものと連結して終端することを妨害し、これにより第３の摩擦要素２２が（第１の摩擦要素１６と一体的に）回動しないようにする。
【００２８】
従って基本的に、閉じる方向にヒンジが枢動するときにピボット９を中心として枢動する制動カム３９はその外形４３により端部４２に対して押圧し、摺動部２３を一方向に移動させる。この移動方向において、張引部材３６は溝３４内に保持される。即ち、張引部材３６は溝３４内に、第３の摩擦要素２２及び第１の摩擦要素１６の一体的な回動により摺動して張引されて嵌入する。接触面１７，２０，２１にて、及び可動部（第１の摩擦要素１６及び第３の摩擦要素２２）及び固定部（底部１８及び第２の摩擦板１９）の間にて生じる摺動による摩擦力により所望の減速を得られる。
【００２９】
反対に、閉じる方向にヒンジが枢動するときにピボット９を中心として枢動する制動カム３９はその外形４５によりピン４４を押圧し、これにより摺動部２３を反対方向に移動させる。この運動方向において、張引部材３６は嵌入する溝３４を越えて延び、隣接する溝３４内に嵌入する。従って、第３の摩擦要素２２及び第１の摩擦要素１６のいずれも一体的に回動して張引されるものではない。第１の摩擦要素１６及び第３の摩擦要素２２は静止した状態を保持し、減速作用は作用されない。
【００３０】
減速装置１の効率を上げるために、必須ではないが粘性タイプによる効果及び機械的タイプによる効果の組み合わせにより減速が得られるように粘性媒体により容器１４を満たすことができる。
【００３１】
更にスナップ結合手段が容器１４及びカバー３５の間に設けられるが、これは特に容器１４の外側表面に対して周方向に設けられる特別な拡張された開口部６０及びカバー３５の外側表面に対して周方向に設けられ、開口部６０と対をなす形状のスナップ歯６１によって設けられるものといえる。従って、減速装置は自律的に組み立てられる。
【００３２】
最後に減速装置１はヒンジの箱形本体４に迅速に連結する手段を有する。手段は特に箱形本体４の特別な開口部６２，６３及びカバー３５の特別な開口部６４，６５内に螺入するように調整される平行な軸を有するＵボルト（図示しない）からなる（これに代えて、開口部６４，６５は容器１４に設けられてもよい）。Ｕボルトの平行な軸は好適にピボット７及び９をなし、等化器２及び等化器３を箱形本体４に対してヒンジにより連結する。これにより、ヒンジの既存の組立ラインに行程を単純に組み込むことによって容易に減速装置を設けることができ、これにより変形が不要となる。
【００３３】
複数の接合手段は、容器１４及びそのカバー３５からなる複合体と、箱形本体４との間に設けられる。接合手段はＵボルトにより運動を妨害するために好適な位置にて相互に終端するように配置される。
【００３４】
接合手段はヒンジの箱形本体４の対応する開口部６７に嵌入自在な、カバー３５の少なくとも１本のピン６６からなる。
上記減速装置は本発明の概念の範囲内にある限り様々な変形及び変更が可能であり、全ての細部は同等の技術的要素によって代えられてもよい。
【００３５】
特に図１０に示すように第２の摩擦要素は本実施例において第１の摩擦要素及び第２の摩擦要素の間において対向し相互に弾性的に押圧する一対のディスク５０，５１からなる。回動は第１の好適な実施例における第２の摩擦要素に関して上述したものと類似のシステムにより妨害可能であるため、これに関して更に説明することは差し控える。上記本願発明により第２の摩擦面及び第３の摩擦面において第１の摩擦要素及び第３の摩擦要素に対する第２の摩擦要素の付着性を向上させることができる。
【００３６】
図１１に示すように第２の摩擦要素は本実施例においてその表面が上述したものと類似し、弾性的な効果を生じて同等に機能する波形形状５３を有する１つの円形の固定されたディスク５２からなる。回動は第１の好適な実施例における第２の摩擦要素に関して上述したものと類似のシステムにより妨害される。
【００３７】
図１２，１３，１４において、第１の摩擦要素５４及び第３の摩擦要素５５は上記したものと異なる実施例における締付手段についてのみ異なる。本実施例において、締付手段は傾斜端５７を有する支持シート５６、及び傾斜端５７の形状と対をなし、傾斜端５７に対して寄りかかるように調整される突出部５８からなる。シート５６は第３の摩擦要素５５の周囲に設けられ、突出部５８は第１の摩擦要素５４の周囲に設けられる。第３のディスク及び第１のディスクにおけるこれらの構造体は明らかに逆に設けられてもよい。突出部５８の外周の長さはシート５６の外周の長さより短く、僅かに相対回動自在であり、これによりヒンジの閉じる回動方向において楔による効果が生じ、第１の摩擦要素５４及び底部１８の間に大きな圧力が生じる。
【００３８】
実施において、使用される材料の他寸法も要件及び態様により代えてもよい。
【図１】
2011503394.tif 000003
【図２】
2011503394.tif 000004
【図３】
2011503394.tif 000005
【図４】
2011503394.tif 000006
【図５】
2011503394.tif 000007
【図６】
2011503394.tif 000008
【図７】
2011503394.tif 000009
【図８】
2011503394.tif 000010
【図９】
2011503394.tif 000011
【図１０】
2011503394.tif 000012
【図１１】
2011503394.tif 000013
【図１２】
2011503394.tif 000014
【図１３】
2011503394.tif 000015
【図１４】
2011503394.tif 000016
【国際調査報告】
2011503394.tif 000017
2011503394.tif 000018